(57)【要約】【課題】  汽水分離器の設置箇所を見直して装置の小型化、省スペース化を可能にし、また汽水分離器から出る熱を上着の乾燥処理に利用してスチームの熱エネルギーを無駄にすることなく、充分、活用できるようにする。【解決手段】  上着１を着せる人体型２と、この人体型２に着せた上着１の内部にスチームを吹き付けるノズル３と、また人体型２の下方に設けてスチームの熱を人体型２に着せた上着１の内部に放出する熱交換器４と、この熱交換器４で熱交換して温度が低下したスチームから水滴を取り除く汽水分離器６とを備え、汽水分離器６で水滴を取り除いたスチームをノズル３に供給する。人体型２の下方に、筒形の基枠１０を起立状に設ける。この基枠１０内に、汽水分離器６を熱交換器４と共に設ける。【選択図】      図１
2009153642.tif 000002
【特許請求の範囲】
【請求項１】
上着を着せる人体型と、この人体型に着せられた上着の内部にスチームを吹き付けるノズルと、また人体型の下方に設けられてスチームの熱を人体型に着せられた上着の内部に放出する熱交換器と、この熱交換器で熱交換されて温度が低下したスチームから水滴を取り除く汽水分離器と、この汽水分離器で水滴が取り除かれたスチームが上記のノズルに供給される上着の立体仕上げ装置であって、上記の人体型の下方に筒形の基枠が起立状に設けられ、この基枠内に、上記の汽水分離器が熱交換器と共に設けられていることを特徴とする上着の立体仕上げ装置。
【請求項２】
請求項１記載の上着の立体仕上げ装置であって、汽水分離器が、熱交換器の下側に、人体型の前後方向に沿って横向きに設けられていることを特徴とする上着の立体仕上げ装置。
【請求項３】
請求項１又は２記載の上着の立体仕上げ装置であって、人体型に着せられた上着の両側の裾を側方に押し拡げて緊張するための左右一対の脇張りが、起立状の支持フレームの上部に、人体型の前後方向に沿った横軸を介して揺動自在に設けられ、この脇張りの上部が上記の横軸を中心に内方に傾倒するのを防止するストッパーが、筒形の基枠の両側に、起立状に設けられていることを特徴とする上着の立体仕上げ装置。
【請求項４】
請求項３記載の上着の立体仕上げ装置であって、ストッパーの上部に、脇張りと接触して脇張りを受け止める突起部が人体型の側方に突き出されて設けられ、この突起部の突き出し長さが調節自在に形成されていることを特徴とする上着の立体仕上げ装置。
【請求項５】
請求項４記載の上着の立体仕上げ装置であって、突起部が、人体型の側方に頭を向けてストッパーの上部に螺合されている雄ネジであることを特徴とする上着の立体仕上げ装置。
【発明の詳細な説明】
【技術分野】
【０００１】
本発明は、背広やジャケット、或いはコートなどの上着の立体仕上げ装置に関し、更に詳しくは人体の胸部を模した人体型に上着を着せ、この上着の内部に蒸気や熱風を吹き付けて皺を除去し、平滑仕上げする形式の上着の立体仕上げ装置に関するものである。
【背景技術】
【０００２】
従来、この種の装置としては、上着を着せる人体型と、この人体型に着せられた上着の内部にスチームを吹き付けるノズルと、また人体型の下方に設けられてスチームの熱を人体型に着せられた上着の内部に放出する熱交換器と、この熱交換器で熱交換されて温度が低下したスチームから水滴を取り除く汽水分離器と、この汽水分離器で水滴が取り除かれたスチームが上記のノズルに供給されるよう形成されているものがある（例えば特許文献１参照）。
而して従来機は、汽水分離器が、人体型の後方に露出状に設けられていた。従って従来機によると、作業者が過って火傷する等の安全性の問題を有していただけではなく、装置の前後の寸法が長くなり、設置スペース、占有スペースが広くなるのを避けられなかった。
また汽水分離器は、熱交換器から流入するスチームで暖まり、外表面から放熱するが、従来機は、この汽水分離器から出る熱を、そのままクリーニング工場内に放散しているのが通例であった。
従って従来のこの種の装置によると、スチームの熱エネルギーを損失し、スチームの熱エネルギーを活用し切れていない、という問題点があった。
【特許文献１】特開２００７−２９３３０号公報
【発明の開示】
【発明が解決しようとする課題】
【０００３】
本発明は、このような従来技術の問題点に鑑み、提案されたものである。
従って本発明の解決しようとする技術的課題は、汽水分離器の設置箇所を見直して装置の小型化、省スペース化を可能にし、また汽水分離器から出る熱を上着の乾燥処理に利用してスチームの熱エネルギーを無駄にすることなく、充分、活用できるよう形成した上着の立体仕上げ装置を提供することにある。
【課題を解決するための手段】
【０００４】
本発明は、上記の課題を解決するため、次のような技術的手段を採る。
即ち本発明は、図１等に示されるように、上着１を着せる人体型２と、この人体型２に着せられた上着１の内部にスチームを吹き付けるノズル３と、また人体型２の下方に設けられてスチームの熱を人体型２に着せられた上着１の内部に放出する熱交換器４と、この熱交換器４で熱交換されて温度が低下したスチームから水滴を取り除く汽水分離器６と、この汽水分離器６で水滴が取り除かれたスチームが上記のノズル３に供給される上着１の立体仕上げ装置であって、上記の人体型２の下方に筒形の基枠１０が起立状に設けられ、この基枠１０内に、上記の汽水分離器６が熱交換器４と共に設けられていることを特徴とする（請求項１）。
【０００５】
本発明の場合、汽水分離器６は、熱交換器４の上側、或いは同じ高さで隣接して設けられているのでも良いが、図１、図２に示されるように、熱交換器４の下側に、人体型２の前後方向に沿って横向きに設けられているのが好ましい（請求項２）。
なぜならこれによると、熱交換器４から上昇する熱の流れを汽水分離器６が乱すことなく、また基枠１０の左右の幅を拡げることなく、汽水分離器６と熱交換器４から出る熱を合わせ、熱風（温風）の温度を高めて上着１の乾燥に利用できるからである。またこの場合は、汽水分離器６が横向きに設けられているから、汽水分離器６の下方から供給するエアを、汽水分離器６の外周面に当てて満遍なく、且つ効率良く放熱させることができるからである。またこれによると、汽水分離器６が縦向きに設けられる場合に比べ、基枠１０の高さを抑えることができ、しかも基枠１０の下部に、熱風生成用のエアの流入口１１を形成し易くなるからである。
【０００６】
また本発明は、人体型２に着せられた上着１の両側の裾を側方に押し拡げて緊張するための左右一対の脇張り１３が、起立状の支持フレーム１４の上部に、人体型２の前後方向に沿った横軸１５を介して揺動自在に設けられ、この脇張り１３の上部が上記の横軸１５を中心に内方に傾倒するのを防止するストッパー１６が、筒形の基枠１０の両側に、起立状に設けられているのが好ましい（請求項３）。
なぜならこれによると、熱風が裾に加わって脇張り１３の下部が横軸１５を中心に外方に押されて回動したとき、脇張り１３の上部が内方に傾倒するのをストッパー１６で防止でき、従って裾が風圧で捲くれることを防止できるからである。
【０００７】
またこの場合、本発明は、ストッパー１６の上部に、脇張り１３と接触して脇張り１３を受け止める突起部１７が人体型２の側方に突き出されて設けられ、この突起部１７の突き出し長さが調節自在に形成されているのが好ましい（請求項４）。
なぜならこれによると、上着１の種類やサイズに応じて脇張り１３の傾倒角度を最適に設定でき、仕上がり状態を良好にできるからである。
【０００８】
またこの場合、突起部１７は、図５等に示されるように、人体型２の側方に頭１７ａを向けてストッパー１６の上部に螺合されている雄ネジであるのが好ましい（請求項５）。
なぜならこれによると、突起部１７の長さ調節を、簡単且つ低コストな仕組みで実現できるからである。
【発明の効果】
【０００９】
本発明の装置は、このように人体型の下方に筒形の基枠が起立状に設けられ、この基枠内に、上記の汽水分離器が熱交換器と共に設けられているものである。
従って本発明の場合は、汽水分離器が人体型の上下方向の範囲内に納まっているため、設置スペース、占有スペースを小さくでき、省スペース化を図ることができる。
また本発明は、汽水分離器から出る熱を熱交換器から出る熱と合わせて上着の乾燥に利用できる。従ってこれによると、熱交換器だけで乾燥する従来機に比べ、熱風（温風）の温度を高めて上着の乾燥処理を早めることができ、スチームの熱エネルギーを無駄にすることがない。
また本発明の場合は、汽水分離器が露出していないから、作業員が過って火傷することを防止でき、また熱交換器やノズルとの配管の長さが短くなり、配管作業の容易化、配管コストの低廉化を図ることができる。
【発明を実施するための最良の形態】
【００１０】
以下、本発明を実施するための最良の形態を説明する。
図１等において、１は上着であり、２はこの上着１を着せる人体型である。この人体型２は、上着１のサイズに合わせて両肩部２ａが側方に張り出し自在に形成されている。３は、この人体型２に着せられた上着１の内部にスチームを吹き付けるノズルである。このノズル３は、図２に示されるように、前後一対状に２本起立されている。
【００１１】
４は、人体型２の下方に設けられてスチームの熱を人体型２に着せられた上着１の内部に放出する熱交換器である。この熱交換器４は、具体的にはラジエーターで形成されている。熱交換器４は、図２に示されるように、スチームの流入口５と接続され、この流入口５からスチームが供給される。また６は、熱交換器４で熱交換されて温度が低下したスチームから水滴を取り除く汽水分離器である。この汽水分離器６には、ドレインの排水管７が接続されている。熱交換器４と汽水分離器６は、管路８で、また汽水分離器６とノズル３とは管路９で接続されている。
【００１２】
１０は、人体型２の下方に起立状に設けられている筒形の基枠である。この基枠１０は、この実施形態では断面四角形の角筒状に形成されている。またこの基枠１０の下部には、エアの流入口１１が開口され、この流入口１１を介して基枠１０内に送風機１２からエアが供給可能に形成されている。
【００１３】
上記の汽水分離器６は、基枠１０内に、熱交換器４と共に設けられている。この実施形態の場合は、図１、図２に示されるように、汽水分離器６は、熱交換器４の下側に、人体型２の前後方向に沿って横向きに設けられている。
【００１４】
また１３は、人体型２に着せられた上着１の両側の裾を側方に押し拡げて緊張するための左右一対の脇張りである。この脇張り１３は、起立状の支持フレーム１４の上部に、前後方向に沿った横軸１５（図２、図６参照）を介して揺動自在に設けられている。
【００１５】
１６は、脇張り１３の上部が上記の横軸１５を中心に内方に傾倒するのを防止するためのストッパーである。このストッパー１６は、筒形の基枠１０の両側に、起立状に設けられている。ストッパー１６は、図５、図６等に示されるように、具体的には基枠１０の両側に垂直に立てられて上部がクランク形に曲げられ、垂直状の立ち上がり箇所１６ａに、脇張り１３と接触して脇張り１３を受け止める突起部１７が、人体型２の側方に突き出されて設けられている。突起部１７は、この実施形態では人体型２の側方に頭１７ａを向けてストッパー１６の立ち上がり箇所１６ａに螺合されている雄ネジで形成されている。従ってこの実施形態の場合は、突起部１７としての雄ネジのねじ込みの深さを変えることにより、突き出し長さが調節されるものである。
【００１６】
上記の脇張り１３は、基枠１０の側面から水平状に突き出されている支持腕１８の先端部に、支持フレーム１４の下部が軸１９を介して枢着されている。２０は、支持フレーム１４の下端と、基枠１０の側面との間に設けられているエアシリンダーである。このエアシリンダー２０のロッドが収縮すると、支持フレーム１４が軸１９を中心に外方に所定角度回動して、脇張り１３が上着１の裾を側方に張り、延伸すると内方に回動して初期状態に配置されるものである。
【００１７】
なお２１は、上着１の前後の裾を押さえるための前後一対の裾押さえである。また２２は、この裾押さえ２１の駆動装置としてのエアシリンダーである。この駆動装置２２としてのエアシリンダーは、前後一対の裾押さえ２１に対応して、裾押さえ２１の支持部材２３の下部と、基枠１０との間に設けられている。裾押さえ２１は、駆動装置２２としてのエアシリンダーのロッドが収縮すると、人体型２の側に軸棒２４を中心に回動して上着１の前後の裾を押さえ、延伸すると人体型２の前側、後側に回動して裾から離されるものである。
【００１８】
次に本発明の作用を説明する。
先ずスチームが熱交換器４に供給されると、熱交換器４から放熱され、送風機１２から供給されるエアで熱風化して上昇し、人体型２に着せられた上着１の内部に吹き付けられる。そして熱交換により温度の低下したスチームは、図２に矢示されるように、熱交換器４から管路８を経て汽水分離器６に入り、汽水分離器６で水滴が取り除かれる。次に汽水分離器６で水滴が取り除かれたスチームは、管路９を経てノズル３に送られ、ノズル３から上着１の内部に吹き付けられる。
また本発明の場合、汽水分離器６から出る熱は、熱交換器４から出る熱と合わされ、高温の熱風となって上着１の内部に吹き付けられる。
【００１９】
而して熱風が上着１に吹き付けられると、上着１の裾は、通常、下方に末広がりに形成されているため、図６に矢示されるように、脇張り１３の下部が横軸１５を中心に外側に回動する。すると脇張り１３の上部が、同図に鎖線で示されるように、突起部１７としての雄ネジの頭１７ａに係止される。これにより、脇張り１３の上部が、内方にそれ以上傾倒することが防止される。従って本発明によると、上着１は裾が捲くれることなく、綺麗に乾燥仕上げされる。
【図面の簡単な説明】
【００２０】
【図１】本発明の上着の立体仕上げ装置の好適な一実施形態を示す正面図である。
【図２】同上装置の側面図である。
【図３】同上装置の斜視図である。
【図４】同上装置の要部平面図である。
【図５】ストッパーを示す要部斜視図である。
【図６】ストッパーの作用を説明するための要部正面図である。
【符号の説明】
【００２１】
１      上着
２      人体型
３      ノズル
４      熱交換器
６      汽水分離器
１０    基枠
【図１】
2009153642.tif 000003
【図２】
2009153642.tif 000004
【図３】
2009153642.tif 000005
【図４】
2009153642.tif 000006
【図５】
2009153642.tif 000007
【図６】
2009153642.tif 000008